(57)【要約】【課題】  複数の種類の記録媒体に対して、記録されている情報の読み出しおよび／または書き換えを無線通信によって行う記録媒体処理装置において、どの記録媒体に対しても的確に記録されている情報の読み出しおよび／または書き換えを行うことを可能とする記録媒体処理装置を提供する。【解決手段】  ＩＣカードを通信位置まで搬送するカード通路５１と、ＩＣコインを通信位置まで搬送するコイン通路５２との間に、通信位置に搬送されたＩＣカードまたはＩＣコインと無線通信によって記録されている情報の読み出しおよび／または書き換えを行うアンテナ４１４を配置する。【選択図】  図１８
2005323872.tif 000002
【特許請求の範囲】
【請求項１】
複数の種類の記録媒体に対して、記録されている情報の読み出しおよび／または書き換えを無線通信によって行う記録媒体処理装置において、
上記無線通信を行うためのアンテナを備えた記録媒体処理部と、
各種類の記録媒体を、上記記録媒体処理部による通信位置に搬送させる複数の搬送通路とを備え、
上記記録媒体処理部のアンテナから見て、各種類の記録媒体に対応する搬送通路における通信位置の方向が互いに異なっていることを特徴とする記録媒体処理装置。
【請求項２】
上記搬送通路が２種類の記録媒体に対応して２つ設けられており、
一方の種類の記録媒体に対応する搬送通路における通信位置と、他方の種類の記録媒体に対応する搬送通路における通信位置との間に、上記記録媒体処理部のアンテナが位置していることを特徴とする請求項１記載の記録媒体処理装置。
【請求項３】
上記複数の搬送通路が、それぞれ異なる空間に配置されていることを特徴とする請求項１または２記載の記録媒体処理装置。
【請求項４】
上記各搬送通路において、搬送対象となる記録媒体を搬送させる搬送駆動機構を備え、
各種類の記録媒体に対応する搬送通路、搬送駆動機構を備えたユニットが、互いに分離可能となっていることを特徴とする請求項１、２、または３記載の記録媒体処理装置。
【請求項５】
上記記録媒体処理部が、記録媒体の種類に応じてそれぞれ異なる通信形式によって無線通信を行うことを特徴とする請求項１ないし４のいずれか一項に記載の記録媒体処理装置。
【請求項６】
複数の種類の記録媒体に対して、記録されている情報の読み出しおよび／または書き換えを無線通信によって行う記録媒体処理装置において、
上記無線通信を行うためのアンテナを備えた記録媒体処理部と、
各種類の記録媒体を、上記記録媒体処理部による通信位置に搬送させる複数の搬送通路とを備え、
上記記録媒体処理部が、記録媒体の種類に応じてそれぞれ異なる通信形式によって無線通信を行うことを特徴とする記録媒体処理装置。
【請求項７】
請求項１ないし６のいずれか一項に記載の記録媒体処理装置を備え、上記記録媒体に記録されている有価価値情報を更新する処理を行うことにより、利用者に対して所定のサービスを提供することを特徴とするサービス提供装置。
【請求項８】
外部の遊技機に通信接続されており、上記記録媒体に記録されている有価価値情報を更新することによって、利用者に対して上記遊技機による遊技動作を許可することを特徴とする請求項７記載のサービス提供装置。
【請求項９】
請求項８記載のサービス提供装置と遊技機とを備えた遊技機システム。
【発明の詳細な説明】
【技術分野】
【０００１】
本発明は、記録媒体に対して、情報の記録および処理を行う記録媒体処理装置、サービス提供装置、および遊技機システムに関する。
【背景技術】
【０００２】
従来、情報を記録できるＩＣカード等の記録媒体が、パチンコ遊技機やスロットマシン等の遊技機に用いられている。これらの遊技機においては、記録媒体処理装置は、記録媒体にユーザの有する有価の情報を記録するとともに、記録媒体から情報を読み出す処理を行う。この記録媒体処理装置は主に遊技機と遊技機との間に台間機として設置され、ユーザは遊技を行う際、台間機に記録媒体を投入する。台間機は、記録媒体から有価価値情報を読み出し、ユーザの遊技動作による使用量に基づいて、該記録媒体に記録されている有価価値情報を更新する。これにより、ユーザはパチンコ玉やメダル等の代わりに、記録媒体を投入することにより遊技を行うことができる。
【０００３】
また、これらの遊技機においては、多様なユーザの使用状況に合わせて、期限付カードや会員専用カード等の多種類の記録媒体が使用される。これに対し、一つの記録媒体処理装置が複数の種類の記録媒体に対して情報の読み書きを行う技術が用いられている。これにより、多数の装置を設置することによる設置スペースの拡大を抑制する。
【０００４】
このような技術を用いた従来例として、特許文献１は、コイン状の記録媒体およびカード状の記録媒体の二種類の記録媒体に対して情報の読み書きを行う機能を有する記録媒体処理装置について開示している。さらに、特許文献１では、一つのアンテナで複数の種類の記録媒体に対して無線通信によって情報の読み書きを行う方式についても開示されている。これにより、記録媒体処理装置自体の小型化を図ることが可能である。
【特許文献１】特開２００１−６２１２３号公報（平成１３年３月１３日公開）
【発明の開示】
【発明が解決しようとする課題】
【０００５】
しかしながら、上記特許文献１に開示されている構成では、複数の種類の記録媒体に対して、記録媒体処理装置内部に通路を設ける必要がある。図２０（ａ）は、特許文献１に開示されている構成において、コイン状の記録媒体が通るコイン通路５０２、カード状の記録媒体が通るカード通路５０３、および、記録媒体と無線通信を行うためのアンテナ５０１との配置関係の概略を示している。同図に示すように、アンテナ５０１の片側に、コイン通路５０２およびカード通路５０３が設けられている。
【０００６】
このような構成の場合、コイン通路５０２とアンテナ５０１との距離をａとすると、カード通路５０３とアンテナ５０１との距離はａ＋αとなっている。すなわち、カード通路５０３は、アンテナ５０１までの距離が比較的長くなっている。この場合、カード通路５０３に挿入されるカード状記録媒体とアンテナ５０１との交信距離が長くなるので、アンテナ５０１における通信可能距離が短い場合には、適切に通信を行うことができなくなるという問題がある。実際、このような用途で用いられるアンテナ５０１の通信可能距離は数ｃｍ程度のものが想定されており、交信距離は短い方が好ましいことになる。適切に通信を行うことができなくなる問題は、遊技機のユーザあるいは所有者に対する金銭的な損害、および、ユーザの所有者に対する信頼を損なうこと等の重大な問題を招来することになる。
【０００７】
また、図２０（ｂ）は、特許文献１に開示されている構成において、コイン通路５０２とカード通路５０３とで通路の一部を共有する例を示している。この場合、通路が共有されている箇所においては、通路の段差などにおいて、例えばコイン状の記録媒体やカード状の記録媒体がひっかかったり滞留したりする可能性がある。これは、記録媒体処理装置の故障を引き起こす可能性がある。
【０００８】
また、記録媒体は、通路内でひっかかったり滞留したりした場合、適切な通信位置に存在していない可能性がある。よって、記録媒体に対して、誤った情報が記録されたり、誤って情報が消去されたりする恐れがある。さらに、記録媒体処理装置内の通路が複雑化しているため、この記録媒体のひっかかりや滞留などに対する修理、および、日常のメンテナンスの作業が行われにくいという問題がある。
【０００９】
また、図２０（ｃ）は、図２０（ａ）に示した構成において、コイン通路５０２やカード通路５０３の搬送を駆動する駆動源および駆動中継要素からなる駆動機構５０４も示した図である。このように、アンテナ５０１の片側にコイン通路５０２およびカード通路５０３を設ける場合、それぞれの駆動機構５０４をも片側に集める必要があるので、駆動機構５０４が構造上大きくなることが予想される。
【００１０】
さらに、コイン通路５０２に対する駆動機構５０４は、カード通路５０３の下部などを通過する必要があるので、カード通路５０３の形状などを工夫する必要が生じる。これにより、カード通路５０３の形状や位置が不自然になったり、駆動機構５０４の長さが長くなったりというような問題が生じる可能性がある。
【００１１】
さらに、コイン通路５０２およびカード通路５０３、ならびに駆動機構５０４などの構成の分離が難しい構造となるので、メンテナンス性の悪化も招くことになる。
【００１２】
本発明は、上記のような従来の問題に鑑みてなされたものであり、その目的は、複数の種類の記録媒体に対して、記録されている情報の読み出しおよび／または書き換えを無線通信によって行う記録媒体処理装置において、どの記録媒体に対しても的確に記録されている情報の読み出しおよび／または書き換えを行うことを可能とする記録媒体処理装置、サービス提供装置、および遊技機システムを提供することにある。
【課題を解決するための手段】
【００１３】
上記の課題を解決するために、本発明に係る記録媒体処理装置は、複数の種類の記録媒体に対して、記録されている情報の読み出しおよび／または書き換えを無線通信によって行う記録媒体処理装置において、上記無線通信を行うためのアンテナを備えた記録媒体処理部と、各種類の記録媒体を、上記記録媒体処理部による通信位置に搬送させる複数の搬送通路とを備え、上記記録媒体処理部のアンテナから見て、各種類の記録媒体に対応する搬送通路における通信位置の方向が互いに異なっていることを特徴としている。
【００１４】
上記の構成では、各種類の記録媒体は、それぞれ異なる搬送通路によって通信位置に移動させられるようになっている。また、記録媒体処理部は、アンテナを用いて無線通信によって記録位置に位置する記録媒体に記録されている情報の読み出しおよび／または書き換えを行うようになっている。
【００１５】
ここで、各種類の記録媒体に対応する搬送通路における通信位置は、記録媒体処理部のアンテナから見て互いに異なった方向に配置されている。すなわち、ある種類の記録媒体に対応する通信位置とアンテナとの間に、他の種類の記録媒体に対応する通信位置が存在しないことになる。よって、各種類の記録媒体に対応する通信位置を、アンテナに対して比較的近い位置に配置することが可能となる。したがって、アンテナによる通信可能範囲が比較的狭い場合でも、各種類の記録媒体に対して適切に無線通信を行うことが可能となる。また、これにより、複数種類の記録媒体に対して、どの記録媒体に対しても的確に記録されている情報の読み出しおよび／または書き換えを行うことを可能とする記録媒体処理装置を提供することができる。
【００１６】
また、各搬送通路は、特定の種類の記録媒体専用の搬送通路となっているので、対応する記録媒体の搬送に適した通路形状とすることができる。よって、記録媒体の搬送時において、記録媒体がひっかかったり滞留したりすることを抑制することができる。よって、記録媒体処理装置の故障を防止できる。
【００１７】
また、記録媒体のひっかかりや滞留によって、記録媒体が通信位置に対して正確な位置からずれて配置されることを抑制できる。よって、記録媒体に対して、誤った情報が記録されたり、誤って情報が消去されたりすることを防止できる。
【００１８】
また、本発明に係る記録媒体処理装置は、上記の構成において、上記搬送通路が２種類の記録媒体に対応して２つ設けられており、一方の種類の記録媒体に対応する搬送通路における通信位置と、他方の種類の記録媒体に対応する搬送通路における通信位置との間に、上記記録媒体処理部のアンテナが位置している構成としてもよい。
【００１９】
上記の構成によれば、記録媒体処理部におけるアンテナを両側から挟むように、２種類の記録媒体に対応する通信位置が配置されるようになる。すなわち、アンテナから見て一方の方向に一方の記録媒体に対応する通信位置が配置され、該一方の方向とは正反対の方向に他方の記録媒体に対応する通信位置が配置されることになる。これにより、各種類の記録媒体の通信位置が互いに干渉することなく、アンテナに対して比較的近い位置に両通信位置を配置することが可能となる。
【００２０】
また、本発明に係る記録媒体処理装置は、上記の構成において、上記複数の搬送通路が、それぞれ異なる空間に配置されている構成としてもよい。
【００２１】
上記の構成によれば、各搬送通路は異なる搬送通路に対して干渉することがないので、それぞれ搬送通路の形状などを自由に設計することが可能となる。また、各搬送通路がそれぞれ異なる空間に配置されているので、各搬送通路のメンテナンスもより容易に行うことが可能となる。
【００２２】
また、本発明に係る記録媒体処理装置は、上記の構成において、上記各搬送通路において、搬送対象となる記録媒体を搬送させる搬送駆動機構を備え、各種類の記録媒体に対応する搬送通路、搬送駆動機構を備えたユニットが、互いに分離可能となっている構成としてもよい。
【００２３】
上記の構成によれば、各種類の記録媒体に対応した搬送通路、および搬送駆動機構を備えたユニットが、それぞれ独立して設けられることになる。よって、メンテナンス時には、各ユニットを分離することによって、搬送通路を作業者に見易く触れ易い状態にすることが可能である。よって、作業者は、記録媒体のひっかかりや滞留などに対する修理、および、日常のメンテナンスを容易に行うことができ、作業時間の短縮および作業の安全性の向上を図ることができる。
【００２４】
また、各搬送通路に対応する搬送手段および搬送駆動機構がそれぞれ独立したユニット内に配置されるので、異なる搬送通路に対する干渉がなくなる。よって、干渉を回避するための構成などを設ける必要がなくなるので、装置のコンパクト化を図ることができる。
【００２５】
また、本発明に係る記録媒体処理装置は、上記の構成において、上記記録媒体処理部が、記録媒体の種類に応じてそれぞれ異なる通信形式によって無線通信を行う構成としてもよい。
【００２６】
また、本発明に係る記録媒体処理装置は、上記の課題を解決するために、複数の種類の記録媒体に対して、記録されている情報の読み出しおよび／または書き換えを無線通信によって行う記録媒体処理装置において、上記無線通信を行うためのアンテナを備えた記録媒体処理部と、各種類の記録媒体を、上記記録媒体処理部による通信位置に搬送させる複数の搬送通路とを備え、上記記録媒体処理部が、記録媒体の種類に応じてそれぞれ異なる通信形式によって無線通信を行うことを特徴としている。
【００２７】
上記の構成によれば、記録媒体の種類に応じて通信形式を変えているので、何らかの事情により（例えば不正が行われた場合や、エラーが発生した場合など）複数種類の記録媒体が同時に投入された場合でも、誤交信が生じることなく、読み書きの対象となる記録媒体に対してのみ適切に情報の書き換えなどを行うことが可能となる。
【００２８】
なお、無線通信の形式を互いに異ならせる具体例としては、通信プロトコルや通信コマンドを両者で別のものを用いる手法が挙げられる。
【００２９】
また、本発明に係るサービス提供装置は、上記本発明に係る記録媒体処理装置を備え、上記記録媒体に記録されている有価価値情報を更新する処理を行うことにより、利用者に対して所定のサービスを提供することを特徴としている。
【００３０】
上記の構成によれば、有価価値情報が記録された複数種類の記録媒体を受け付けることが可能なサービス提供装置を提供することが可能となる。サービス提供装置としては、例えば、利用者が対価を支払うことによって、有価価値情報が記録された記録媒体を提供する装置や、有価価値情報が記録された記録媒体を受け付け、その有価価値に基づいて利用者に対価を支払う装置などがあげられる。
【００３１】
また、本発明に係るサービス提供装置は、上記の構成において、外部の遊技機に通信接続されており、上記記録媒体に記録されている有価価値情報を更新することによって、利用者に対して上記遊技機による遊技動作を許可する構成としてもよい。
【００３２】
上記の構成によれば、遊技機の遊技動作を許可する機能を有するサービス提供装置を提供することができる。
【００３３】
また、本発明に係る遊技機システムは、上記本発明に係るサービス提供装置と遊技機とを備えていることを特徴としている。
【００３４】
上記の構成によれば、有価価値情報が記録された複数種類の記録媒体を受け付けることにより、利用者に対して遊技機における遊技サービスを提供する遊技機システムを実現することができる。
【００３５】
また、利用者は、遊技中に使用している記録媒体において記録される情報としての有価の値を消費した際、遊技機の側で、新たにサービス提供装置から記録媒体を購入することが可能となる。よって、遊技中に、使用している記録媒体の有する有価情報を消費するごとに、遊技機から離れて記録媒体の販売機へ記録媒体を購入しに行く必要が無く、ユーザの使用環境が改善する。
【発明の効果】
【００３６】
以上のように、本発明に係る記録媒体処理装置は、無線通信を行うためのアンテナを備えた記録媒体処理部と、各種類の記録媒体を、上記記録媒体処理部による通信位置に搬送させる複数の搬送通路とを備え、上記記録媒体処理部のアンテナから見て、各種類の記録媒体に対応する搬送通路における通信位置の方向が互いに異なっている構成である。
【００３７】
これにより、アンテナによる通信可能範囲が比較的狭い場合でも、各種類の記録媒体に対して適切に無線通信を行うことが可能となるので、複数種類の記録媒体に対して、どの記録媒体に対しても的確に記録されている情報の読み出しおよび／または書き換えを行うことを可能とする記録媒体処理装置を提供することができるという効果を奏する。
【００３８】
また、記録媒体の搬送時において、記録媒体がひっかかったり滞留したりすることを抑制することができるので、記録媒体処理装置の故障を防止できるという効果を奏する。
【００３９】
また、本発明に係る記録媒体処理装置は、無線通信を行うためのアンテナを備えた記録媒体処理部と、各種類の記録媒体を、上記記録媒体処理部による通信位置に搬送させる複数の搬送通路とを備え、上記記録媒体処理部が、記録媒体の種類に応じてそれぞれ異なる通信形式によって無線通信を行う構成である。
【００４０】
これにより、何らかの事情により複数種類の記録媒体が同時に投入された場合でも、誤交信が生じることなく、読み書きの対象となる記録媒体に対してのみ適切に情報の書き換えなどを行うことが可能となるという効果を奏する。
【発明を実施するための最良の形態】
【００４１】
本発明の一実施形態について図１ないし図１８に基づいて説明すると以下の通りである。
【００４２】
（システム構成）
本実施形態に係る台間機（記録媒体処理装置）１について、図１１を用いて説明する。図１１は、本発明の一実施形態における台間機１、および、パチンコ台（遊技機）２の構成を示す正面概略図である。
【００４３】
パチンコ台２は台間機１の横に備えられ、台間機１とパチンコ台２とを合わせて、遊技機システムとする。遊技機システムは、有価価値情報が記録されている記録媒体を用いて、ユーザに対してパチンコ遊技サービスを提供するものである。
【００４４】
台間機１は、有価価値情報が記録されている記録媒体としてのＩＣコイン３およびＩＣカード４に対して、情報の読み出し処理および書き込み処理を行う機能を有するものである。パチンコ台２は、台間機１において記録媒体から読み出された有価価値情報に応じてパチンコ遊技処理が行われる装置である。このパチンコ台２は、台間機１と有線による通信が行われるようになっており、この通信によって台間機１とパチンコ台２との間で有価価値情報の変更情報が送受信される。
【００４５】
なお、本実施形態では、遊技機としてパチンコ台２を用いた例を示しているが、これに限定されるものではなく、有価価値情報に基づいて遊技が行われる遊技機であればどのような遊技機であってもよい。例えば、遊技機として、いわゆるパチスロ台が用いられてもよい。
【００４６】
図１７は、複数の遊技機システムが設置されている遊技場等の装置配置例を示している。同図に示すように、パチンコ台２および台間機１からなる遊技機システムが横に複数の列にわたって並べられている。なお、図１７において、丸で示す場所にユーザが着席して遊技を行うことになる。各パチンコ台２および台間機１は、通信線８を介してデータ管理端末７に通信接続されている。データ管理端末７は、管理者のいる管理室等に設けられる。このデータ管理端末は、各台間機１およびパチンコ台２を中枢的に管理している。具体的には、データ管理端末は、台間機１において処理される情報、パチンコ台２において処理される情報などを管理する機能を有する。
【００４７】
なお、実際には、台間機１…が接続されるデータ管理端末７と、パチンコ台２…が接続されるデータ管理端末７とを、それぞれ異なるデータ管理端末によって構成してもよい。この場合、台間機１における有価価値情報に関する処理情報を統括管理するデータ管理端末と、パチンコ台２における遊技処理状況を統括管理するデータ管理端末とがそれぞれ別に設けられることになり、データ管理端末７を機能的に分離することができる。
【００４８】
なお、本実施形態では、台間機１はパチンコ台２と並んで配置されている構成となっているが、ＩＣコイン３およびＩＣカード４の販売を行う記録媒体販売装置として構成してもよい。
【００４９】
（台間機の構成）
台間機１の外表面には、図１１に示すように、紙幣投入口１１、ＩＣコイン投入口１３、ＩＣカード投入口１４、およびＩＣコイン返却口１５が設けられている。
【００５０】
紙幣投入口１１は、現金によって遊技が行われる場合に、ユーザによって現金としての紙幣が投入される投入口である。この紙幣投入口１１は、ユーザに対して紙幣の返却が行われる際にも用いられる。
【００５１】
ＩＣコイン投入口１３は、ＩＣコイン３によって遊技が行われる場合に、ユーザによってＩＣコイン３が投入される投入口である。ＩＣコイン返却口１５は、投入されているＩＣコイン３がユーザに対して返却される返却口である。
【００５２】
ＩＣカード投入口１４は、ＩＣカード４によって遊技が行われる場合に、ユーザによってＩＣカード４が投入される投入口である。このＩＣカード投入口１４は、ユーザに対してＩＣカード４の返却が行われる際にも用いられる。
【００５３】
また、パチンコ台２における上皿部側面には、玉貸し入力ボタン１２ａ、玉貸し表示部１２ｂ、および返却ボタン１６が設けられている。
【００５４】
玉貸し表示部１２ｂは、台間機１に対して投入された現金、ＩＣコイン３、およびＩＣカード４に基づいて、利用可能なパチンコ玉の数に関する情報等を表示するものである。この玉貸し表示部１２ｂは、例えば７セグメントのＬＥＤ表示部を３桁分並べた表示装置などによって構成される。
【００５５】
玉貸し入力ボタン１２ａは、利用パチンコ玉数（玉貸し数）の入力がユーザによって行われるボタンである。ここで利用パチンコ玉数が入力されると、その数のパチンコ玉がパチンコ台２に供給されることになる。
【００５６】
返却ボタン１６は、ユーザからの返却指示を受け付けるスイッチである。この返却ボタン１６がユーザによって押されると、投入されている残り現金、ＩＣコイン３、またはＩＣカード４がユーザに対して返却される。
【００５７】
以上のように、台間機１は、現金、ＩＣコイン３、およびＩＣカード４による料金徴収を行い、これに基づいてパチンコ台２に対するパチンコ玉の供給を制御するものとなっている。
【００５８】
なお、本実施形態では、玉貸し表示部１２ｂ、玉貸し入力ボタン１２ａ、および返却ボタン１６がパチンコ台２における上皿部側面に設けられた構成となっているが、これに限定されるものではなく、台間機１の前面にこれらの構成が設けられた構成とすることも可能である。
【００５９】
ここで、図１９を参照しながら、台間機１の機能的な構成について説明する。同図に示すように、台間機１は、現金収受装置７２、遊技玉供給制御装置７１、および記録媒体処理装置２０を備えている。現金収受装置７２は、紙幣投入口１１における紙幣の収受を行う装置である。
【００６０】
遊技玉供給制御装置７１は、現金、ＩＣコイン３、およびＩＣカード４による料金収受に基づいてパチンコ玉の供給を制御する装置であり、台間機１の中枢を担う装置である。この遊技玉供給制御装置７１の主たる機能は次のとおりである。（１）データ管理端末との間の通信処理を行う。（２）Ｒ／Ｗ制御部４０５に対して記録媒体への情報の読み書きの実体的な制御を行う。（３）通信が断線した場合、読み書き処理中のデータを退避する処理を行う。（４）遊技機２との通信（玉貸し等）処理を行う。（５）記録媒体の搬送制御のタイミングを制御する。（６）各種表示部（玉貸し表示部１２ｂ）の表示制御を行う。
【００６１】
記録媒体処理装置２０は、ＩＣコイン３およびＩＣカード４との無線通信により、ＩＣコイン３およびＩＣカード４に対して有価価値情報の読み取りおよび書き換えを行う機能を有するものである。この記録媒体処理装置２０は、ＩＣコイン搬送用モータ３０１、ＩＣコインシャッターソレノイド３０２、貯留センサ３０７、ＩＣコイン位置センサ８１、ＩＣコインＨＰセンサ８２、セレクタ制御部３０３、ＩＣカード位置センサ４０４、ＩＣカード投入センサ４１１、ＩＣカードシャッターソレノイド４１２、ＩＣカード搬送用モータ４０６、Ｒ／Ｗ制御部４０５、およびアンテナ４１４を備えている。また、セレクタ制御部３０３は、ＩＣコイン搬送制御部３０３ａ、およびＩＣカード搬送制御部３０３ｂを備えている。なお、これらの構成の詳細については後述する。
【００６２】
（記録媒体処理装置の構成）
記録媒体処理装置２０は、上記したように、ＩＣコイン３およびＩＣカード４との無線通信により、ＩＣコイン３およびＩＣカード４に対して有価価値情報の読み取りおよび書き換えを行う機能を有する。まず、ＩＣコイン３およびＩＣカード４について説明する。
【００６３】
ＩＣコイン３は、パチンコ台２においてユーザが遊技を行う際に必要となる有価価値情報を記録するコイン形状の記録媒体である。また、ＩＣコイン３に既に情報として記録されている有価価値情報は、ユーザが遊技を行うために利用されるごとに消費され、全て消費された後は、ＩＣコイン３は台間機１に回収される。ユーザはさらに遊技を続行する場合は、新たにＩＣコイン３を購入することになる。
【００６４】
ＩＣカード４は、有価価値情報以外に、ユーザＩＤ等を記録するカード形状の記録媒体である。また、カードに既に情報として記録されている有価価値情報は、ユーザの利用により消費されるが、全て消費された後でも、ユーザによって現金が投入されることによって有価価値情報を更新することができる。
【００６５】
なお、本実施形態では、ＩＣコイン３は有価価値情報が使い切られる構成であり、ＩＣカード４は有価価値情報が更新可能な構成としているが、これに限定されるものではなく、ＩＣコイン３が、有価価値情報の更新が可能な構成であってもよいし、ＩＣカード４が、有価価値情報が使い切られる構成であってもよい。
【００６６】
次に、記録媒体処理装置２０について、図１〜図６を用いてさらに詳細に説明する。記録媒体処理装置２０は、大きく分けて、ＩＣコイン３の搬送処理を行うＩＣコイン処理部３０と、ＩＣカード４の搬送処理を行うＩＣカード処理部４０とを備えている。そして、図１は、記録媒体処理装置２０をＩＣカード処理部４０側から見た際の斜視図を示しており、図２は、記録媒体処理装置２０をＩＣコイン処理部３０側から見た際の斜視図を示している。これらの図に示すように、ＩＣコイン処理部３０およびＩＣカード処理部４０は互いに接した状態で並んで配置された構成となっている。なお、通常の使用状態では、ＩＣコイン処理部３０とＩＣカード処理部４０とは互いに接した状態となっているが、メンテナンス時などには、両者を分離することが可能となっている。
【００６７】
ＩＣカード処理部４０における、ＩＣコイン処理部３０との接触面に対して垂直な１つの側面にはＩＣカード投入口１４が設けられている。以降、記録媒体処理装置２０において、ＩＣカード投入口１４が設けられている面を表側面と称する。そして、この表側面において、ＩＣコイン処理部３０とＩＣカード処理部４０との接触面部分にＩＣコイン投入口１３が設けられている。また、表側面において、ＩＣコイン投入口１３の下部に、ＩＣコイン処理部３０とＩＣカード処理部４０との接触面部分にＩＣコイン返却口１５が設けられている。
【００６８】
（ＩＣコイン処理部の構成）
次に、ＩＣコイン処理部３０の構成について説明する。まず図２を参照しながら、ＩＣコイン処理部３０における、ＩＣカード処理部４０との接触面とは反対側の面（以降、右側面と称する）に配置されている構成について説明する。ＩＣコイン処理部３０における右側面には、ＩＣコイン搬送用モータ３０１、ＩＣコインシャッターソレノイド３０２、セレクタ制御部３０３、第１ギア３０４、第２ギア３０５、第３ギア３０６、貯留センサ３０７、第４ギア３０８、貯留ピンソレノイド３０９、および貯留ピン３１０が設けられている。
【００６９】
ＩＣコインシャッターソレノイド３０２は、ＩＣコインシャッター３１１（後述）の開閉を駆動するソレノイドである。なお、ＩＣコインシャッター３１１の開閉を駆動する駆動源としては、ソレノイドに限らず、モータなどであってもよい。
【００７０】
ＩＣコイン搬送用モータ３０１は、ＩＣコイン処理部３０におけるＩＣコイン３の搬送を行う際の駆動力を供給するモータである。第１ギア３０４、第２ギア３０５、第３ギア３０６は、ＩＣコイン搬送用モータ３０１の駆動力を順次第４ギア３０８に伝達するギア群である。第１ギア３０４は、笠歯ギアであり、各ギアの回転方向を変える機能を有する。第２ギア３０５および第３ギア３０６は２段ギアであり、ＩＣコイン搬送用モータ３０１の回転速度を減速させる機能を有する。第４ギア３０８は、ＩＣコイン３を搬送させるロータ３１５（後述）と一体になっている。
【００７１】
貯留センサ３０７および貯留ピン３１０については後述する。貯留ピンソレノイド３０９は、貯留ピン３１０の移動を駆動するソレノイドである。なお、貯留ピン３１０の開閉を駆動する駆動源としては、ソレノイドに限らず、モータなどであってもよい。
【００７２】
セレクタ制御部３０３は、前記したように、ＩＣコイン搬送制御部３０３ａおよびＩＣカード搬送制御部３０３ｂを備えた構成となっている。ＩＣコイン搬送制御部３０３ａは、ＩＣコイン処理部３０におけるＩＣコイン３の搬送の制御を行うものであり、制御処理を行うＩＣ(Integrated Circuit)が形成された基板によって構成される。具体的には、ＩＣコイン搬送制御部３０３ａは、ＩＣコイン搬送用モータ３０１の駆動制御、ロータ３１５の回転位置の制御、各種センサからの検知結果の認識、ＩＣコインシャッターソレノイド３０２の制御、貯留ピンソレノイド３０９の制御などを行う。ＩＣカード搬送制御部３０３ｂは、ＩＣカード処理部４０におけるＩＣカード４の搬送の制御を行うものであり、制御処理を行うＩＣ(Integrated Circuit)が形成された基板によって構成される。具体的には、ＩＣカード搬送制御部３０３ｂは、ＩＣカード搬送用モータ４０６（後述）の駆動制御、各種センサからの検知結果の認識、ＩＣカードシャッターソレノイド４１２（後述）の制御などを行う。
【００７３】
次に図３を参照しながら、ＩＣコイン処理部３０における、ＩＣカード処理部４０との接触面に配置されている構成について説明する。ＩＣコイン処理部３０の接触面には、貯留センサ３０７、貯留ピン３１０、ＩＣコインシャッター３１１、ロータ３１５、投入通路３１６、返却通路３１４、貯留通路３１２、および回収通路３１３が設けられている。
【００７４】
ＩＣコインシャッター３１１は、ＩＣコイン投入口１３からのＩＣコイン３の投入を防止するためのシャッターである。ロータ３１５は、ＩＣコイン３を載置する載置部３１５ａを備えており、この載置部３１５ａに載置されたＩＣコイン３を、自身が回転することによって搬送するものである。
【００７５】
投入通路３１６は、ＩＣコイン投入口１３とロータ３１５が配置されている領域とを結ぶＩＣコイン３の移動通路である。ＩＣコイン投入口１３から投入されたＩＣコイン３は、自重によって投入通路３１６を移動してロータ３１５が配置されている領域に到達する。
【００７６】
返却通路３１４は、ＩＣコイン返却口１５とロータ３１５が配置されている領域とを結ぶＩＣコイン３の移動経路である。ロータ３１５によって返却通路３１４の領域に搬送されたＩＣコイン３は、自重によって返却通路３１４を移動してＩＣコイン返却口１５に到達する。
【００７７】
回収通路３１３は、ＩＣコイン回収口１７とロータ３１５が配置されている領域とを結ぶＩＣコイン３の移動経路である。ロータ３１５によって回収通路３１３の領域に搬送されたＩＣコイン３は、自重によって回収通路３１３を移動してＩＣコイン回収口１７に到達する。ＩＣコイン回収口１７から排出されたＩＣコイン３は、図示しないＩＣコイン回収箱に回収される。ＩＣコイン回収箱は、長年の使用などにより使用不可能となったＩＣコイン３を回収するとともに、後述する貯留通路３１２に貯留可能な数を超えてＩＣコイン３が貯留された場合に、溢れたＩＣコイン３を回収するためのものである。
【００７８】
貯留通路３１２は、ロータ３１５が配置されている領域から上方向に延びたＩＣコイン３の通路であり、ＩＣコイン３を貯留するためのものである。ロータ３１５によって貯留通路３１２の領域に搬送されたＩＣコイン３は、貯留通路３１２内に下から順に貯留されていくことになる。本実施形態では、貯留通路３１２に貯留可能なＩＣコイン３の数は３個となっている。貯留通路３１２に貯留可能な数を超えてＩＣコイン３が貯留通路３１２に搬送された場合には、貯留通路３１２の上部からＩＣコイン３が貯留回収通路４０１（後述）を通ってＩＣコイン回収箱に回収される。なお、貯留通路３１２に貯留可能なＩＣコイン３の枚数は、貯留通路３１２の長さにより決まり、長くすればそれだけ多数のＩＣコイン３を貯留することができる。貯留通路３１２を長くする部材をつけ加えることでＩＣコイン３を貯留できる枚数はより多くなる。
【００７９】
貯留センサ３０７は、貯留通路３１２にＩＣコイン３が貯留されているか否かを検出するセンサである。この貯留センサ３０７は、貯留通路３１２における下部、すなわち、ロータ３１５に近い領域に設けられている。これにより、少なくとも１つのＩＣコイン３が貯留通路３１２に貯留されているか否かが貯留センサ３０７によって検出することができる。
【００８０】
貯留ピン３１０は、ロータ３１５によって搬送されたＩＣコイン３が貯留通路３１２側に移動させるか、回収通路３１３側に移動させるかを切り換えるためのピンである。この貯留ピン３１０は、ロータ３１５における載置部３１５ａに載置されたＩＣコイン３が移動可能な領域であるロータ周囲領域上であって、貯留通路３１２と回収通路３１３との間となる領域に設けられている。貯留ピン３１０が突出した状態では、ロータ３１５によって搬送されたＩＣコイン３は貯留通路３１２に移動し、貯留ピン３１０が没入した状態では、ロータ３１５によって搬送されたＩＣコイン３は回収通路３１３に移動することになる。すなわち、貯留ピン３１０は、ＩＣコイン３を押し上げ、貯留場所としての貯留通路３１２へ誘導する機能を有する。
【００８１】
また、セレクタ制御部３０３が設けられる基板には、図１９に示したように、ＩＣコインＨＰセンサ８２、および、ＩＣコイン位置センサ８１が設けられている（図３では図示せず）。
【００８２】
ＩＣコインＨＰセンサ８２は、ロータ３１５の回転位置を検知するセンサである。このＩＣコインＨＰセンサ８２は、ロータ３１５における載置部３１５ａがＨＰ(Home Position)、すなわち、投入通路３１６から投入されたＩＣコイン３を受け止める位置となっている場合に検知がＯＮとなるようになっている。
【００８３】
ＩＣコイン位置センサ８１は、ロータ３１５の載置部３１５ａに載置されたＩＣコイン３がどの位置にあるかを検知するセンサである。なお、本発明の実施の形態においては、ＩＣコインＨＰセンサ８２およびＩＣコイン位置センサ８１は、セレクタ制御部３０３が設けられる基板上に配置したが、他の場所に配置してもよい。
【００８４】
（ＩＣカード処理部の構成）
次に、ＩＣカード処理部４０の構成について説明する。まず図４を参照しながら、ＩＣカード処理部４０における、ＩＣコイン処理部３０との接触面とは反対側の面（以降、左側面と称する）に配置されている構成について説明する。ＩＣカード処理部４０における左側面には、貯留回収通路４０１、トレイ４０２、テンションローラ４０３、ＩＣカード位置センサ４０４、Ｒ／Ｗ制御部４０５、ＩＣカード搬送用モータ４０６、ウォームギア４０７、中継ギア４０８、ゴムローラ４０９、搬送通路４１０、ＩＣカード投入センサ４１１、およびＩＣカードシャッターソレノイド４１２が設けられている。なお、図４では、トレイ４０２が開けられた状態を示しているが、実際の使用時には、トレイ４０２は搬送通路４１０を覆うように閉じられた状態となる。
【００８５】
貯留回収通路４０１は、貯留通路３１２に貯留可能な数を超えてＩＣコイン３が貯留通路３１２に搬送された場合に、貯留通路３１２の上部から溢れたＩＣコイン３をＩＣコイン回収箱に移動させるための通路である。この貯留回収通路４０１におけるＩＣコイン３の移動は、ＩＣコイン３の自重によって行われる。
【００８６】
搬送通路４１０は、ＩＣカード投入口１４から投入されたＩＣカード４を情報の読み書きが行われる位置、すなわちＩＣカード通信位置まで搬送するとともに、ＩＣカード４をＩＣカード投入口１４から排出する通路である。トレイ４０２は、搬送通路４１０の左側面側を構成しており、左側面側に対して開閉可能となっている。すなわち、メンテナンス時などに、トレイ４０２を開けることによって、搬送通路４１０を露出することが可能となるので、搬送通路４１０の内部の状態を容易に確認することが可能となっている。
【００８７】
ＩＣカード搬送用モータ４０６は、ＩＣカード処理部４０におけるＩＣカード４の搬送を行う際の駆動力を供給するモータである。ウォームギア４０７および中継ギア４０８は、ＩＣカード搬送用モータ４０６の駆動力を順次ゴムローラ４０９に伝達するギア群である。
【００８８】
ゴムローラ４０９は、投入されたＩＣカード４をＩＣカード通信位置まで搬送するためのローラである。このゴムローラ４０９に対向する位置に、トレイ４０２にテンションローラ４０３が設けられている。すなわち、ＩＣカード４は、ゴムローラ４０９とテンションローラ４０３とに挟まれることによって搬送される。
【００８９】
ＩＣカード投入センサ４１１は、ＩＣカード投入口１４の近傍に設けられており、ＩＣカード投入口１４から投入されたＩＣカード４を検知するセンサである。ＩＣカード位置センサ４０４は、搬送通路４１０の奥側に設けられており、投入されたＩＣカード４がゴムローラ４０９の位置に位置しているか否かを検出するセンサである。
【００９０】
ＩＣカードシャッターソレノイド４１２は、ＩＣカードシャッター４１５（後述）の開閉を駆動するソレノイドである。なお、ＩＣカードシャッター４１５の開閉を駆動する駆動源としては、ソレノイドに限らず、モータなどであってもよい。
【００９１】
Ｒ／Ｗ制御部４０５は、アンテナ４１４を用いて、台間機１に投入されたＩＣコイン３またはＩＣカード４と無線通信を行うことにより、情報の読み出しおよび書き込みを行う制御部である。このＲ／Ｗ制御部４０５は、情報の読み出しおよび書き込み処理を行うＩＣチップによって構成される。Ｒ／Ｗ制御部４０５は、前記した遊技玉供給制御装置７１と通信可能に接続されており、遊技玉供給制御装置７１による制御に基づいて情報の読み出しおよび書き込み処理が行われる。また、Ｒ／Ｗ制御部４０５は、例えばＲＡＭ等の記憶装置を備え、故障時等に記録媒体の情報を記憶装置に保存することが可能となっている。なお、本実施形態では、上記の記憶装置がＲ／Ｗ制御部４０５に設けられている構成としているが、これらの構成を別の基板上に設けた構成としてもよい。
【００９２】
図５は、搬送通路４１０における右側面を取り除いた状態を示している。同図に示すように、搬送通路４１０に対してＩＣコイン処理部３０側の領域には、アンテナ４１４、ＩＣカードシャッター４１５、および位置センサ４１６が設けられている。
【００９３】
ＩＣカードシャッター４１５は、ＩＣカード投入口１４からのＩＣカード４の投入を防止するためのシャッターである。
【００９４】
ここで、Ｒ／Ｗ制御部４０５は、ＩＣコイン３との間で行われる無線通信の形式と、ＩＣカード４との間で行われる無線通信の形式とを互いに異なるものとしている。無線通信の形式を互いに異ならせる具体例としては、通信プロトコルや通信コマンドを両者で別のものを用いる手法が挙げられる。これにより、何らかの事情により（例えば不正が行われた場合や、エラーが発生した場合など）ＩＣコイン３とＩＣカード４とが同時に台間機１に投入された場合でも、誤交信が生じることなく、読み書きの対象となる記録媒体に対してのみ適切に情報の書き換えなどを行うことが可能となる。
【００９５】
次に図６を参照しながら、ＩＣカード処理部４０における、ＩＣコイン処理部３０との接触面について説明する。同図に示すように、ＩＣカード処理部４０の接触面には、投入通路３１６、返却通路３１４、貯留通路３１２、および回収通路３１３の左側面が設けられている。すなわち、投入通路３１６、返却通路３１４、貯留通路３１２、および回収通路３１３は、ＩＣカード処理部４０の接触面によって左側面が形成され、ＩＣコイン処理部３０の接触面によって右側面が形成されることになる。
【００９６】
以上のような構成の記録媒体処理装置において、ＩＣカード処理部４０におけるＩＣカード４の移動通路としてのカード通路５１、ＩＣコイン処理部３０におけるＩＣコイン３の移動通路としてのコイン通路５２、およびアンテナ４１４の位置関係について図１８（ａ）を参照しながら説明する。なお、カード通路５１は、搬送通路４１０に相当するものであり、コイン通路５２は、貯留通路３１２、回収通路３１３、返却通路３１４、投入通路３１６、およびロータ３１５によってＩＣコイン３が移動する領域などに相当するものである。
【００９７】
同図に示すように、アンテナ４１４と、カード通路５１およびコイン通路５２との距離は、それぞれほぼ等しくなっている。これは、アンテナ４１４の一方の片側にカード通路５１が配置され、他方の片側にコイン通路５２が配置されているからである。これにより、ＩＣカード４に対する交信距離と、ＩＣコイン３に対する交信距離とをともに短くすることができるので、アンテナ４１４における通信可能距離が比較的短い場合でも、適切な通信を行うことが可能となる。
【００９８】
また、図１８（ｂ）は、図１８（ａ）に示した構成において、駆動源および駆動中継要素からなるＩＣカード駆動機構（搬送駆動機構）５５およびＩＣコイン駆動機構（搬送駆動機構）５６も示した図である。ここで、ＩＣカード駆動機構５５は、ＩＣカード搬送用モータ４０６、ウォームギア４０７、中継ギア４０８などの構成に相当するものであり、ＩＣコイン駆動機構５６は、ＩＣコイン搬送用モータ３０１、第１ギア３０４、第２ギア３０５、第３ギア３０６、第４ギア３０８などの構成に相当するものである。
【００９９】
同図に示すように、アンテナ４１４の一方の片側に、カード通路５１、およびＩＣカード駆動機構５５が配置され、他方の片側に、コイン通路５２、およびＩＣコイン駆動機構５６が配置されている。このような構成によれば、ＩＣカード４の搬送処理に関する部材と、ＩＣコイン３の搬送処理に関する部材とをそれぞれ異なる位置に配置することができるので、両者を分離可能に構成することが可能となる。よって、上記のように、ＩＣコイン処理部３０とＩＣカード処理部４０とを分離することが可能な構成とすることが可能となっている。このような構成により、メンテナンス性を向上することができる。
【０１００】
また、ＩＣカード駆動機構５５およびＩＣコイン駆動機構５６が、それぞれ完全に分離した状態とすることができるので、コイン通路５２またはカード通路５１の形状の設計もより自由に行うことが可能となる。また、各駆動中継要素の長さも必要最低限に抑えることが可能となる。
【０１０１】
なお、本実施形態では、ＩＣコイン搬送制御部３０３ａおよびＩＣカード搬送制御部３０３ｂを、１つの基板上に設けた構成となっているが、これに限定されるものではなく、ＩＣコイン搬送制御部３０３ａおよびＩＣカード搬送制御部３０３ｂをそれぞれ別の基板に設けた構成としてもよい。さらに、ＩＣコイン搬送制御部３０３ａおよびＩＣカード搬送制御部３０３ｂを、それぞれＩＣコイン処理部３０のユニット内、およびＩＣカード処理部４０のユニット内に別々に設けた構成としてもよい。この場合、搬送制御部に関しても、ＩＣコイン処理部３０とＩＣカード処理部４０とでそれぞれ独立して設けることができるので、制御に関するメンテナンスも行いやすくなるというメリットがある。
【０１０２】
（ＩＣコイン・ＩＣカード投入時処理）
次に、図１２を用いて、ＩＣコイン３またはＩＣカード４が投入された際の処理の手順について説明する。なお、以下の説明において、各センサがＯＦＦしている状態とは、ＩＣコイン３あるいはＩＣカード４を検知していない状態であり、ＯＮしている状態とは、ＩＣコイン３あるいはＩＣカード４を検知していない状態である。
【０１０３】
まず、ステップ０（以降、Ｓ０のように称する）において、記録媒体処理装置２０が待機状態となっている。待機状態とは、記録媒体処理装置２０内に、情報の読み書きが行われているＩＣコイン３またはＩＣカード４が存在しない状態である。
【０１０４】
待機状態において、ＩＣコイン位置センサ８１が、ＩＣコイン投入口１３から投入されたＩＣコイン３を検知すると（Ｓ１）、この検知結果に応答して、ＩＣコイン搬送制御部３０３ａにより、ＩＣコインシャッターソレノイド３０２に対する通電が解除され、ＩＣコインシャッター３１１がＩＣコイン投入口１３を閉じる。この状態におけるＩＣコイン処理部３０の接触面における様子を図７に示す。また、同じくこの検知結果に応答して、ＩＣカード搬送制御部３０３ｂにより、ＩＣカードシャッターソレノイド４１２に対する通電が解除され、ＩＣカードシャッター４１５がＩＣカード投入口１４を閉じる（Ｓ２）。
【０１０５】
また、ＩＣコイン搬送制御部３０３ａは、ＩＣコイン搬送用モータ３０１を駆動させる（Ｓ３）。この駆動力が、第１ギア３０４、第２ギア３０５、第３ギア３０６、および第４ギア３０８に伝達され、ロータ３１５が回転する。これにより、ＩＣコイン３はロータ３１５の載置部３１５ａに載置された状態で搬送され、ＩＣコイン３に対して情報の読み書きが行われる位置、すなわちＩＣコイン通信位置まで移動する。この状態におけるＩＣコイン処理部３０の接触面における様子を図８に示す。
【０１０６】
次にＳ４において、ＩＣコイン３がＩＣコイン通信位置まで移動したか否かが判定される。ＩＣコイン３がＩＣコイン通信位置まで移動した場合には、ＩＣコイン位置センサ８１がこれを検知する（Ｓ４においてＹＥＳ）。ＩＣコイン位置センサ８１が、ＩＣコイン通信位置のＩＣコイン３を検知しない場合（Ｓ４においてＮＯ）には、ＩＣコイン搬送制御部３０３ａはこの検知結果を遊技玉供給制御装置７１に通知し、遊技玉供給制御装置７１がエラー処理を行う（Ｓ１１）。このエラー処理とは、所有者等に対してエラーの発生していることを知らせるために、台間機１にエラーの表示を行わせたり、データ管理端末７に対してエラー発生の通知を行う等の処理のことである。以下、エラー処理とは全て同様な処理であるものとする。
【０１０７】
ＩＣコイン３がＩＣコイン通信位置まで移動したことが確認されると、ＩＣコイン搬送制御部３０３ａはこの検知結果に応じて、ＩＣコイン搬送用モータ３０１の駆動を停止させる（Ｓ５）。さらに、Ｒ／Ｗ制御部４０５がアンテナ４１４を用いてＩＣコイン３と無線通信を行うことにより、ＩＣコイン３に記録されている情報の読み込みを行う（Ｓ６）。
【０１０８】
その後、Ｒ／Ｗ制御部４０５によって読み込まれた情報に基づいて、ＩＣコイン３に利用可能なパチンコ玉の数が残っていることを示す情報が記録されているか（有効な情報が入っているか）どうかを、遊技玉供給制御装置７１が判断する（Ｓ７）。遊技玉供給制御装置７１がＩＣコイン３に有効な情報が入っていることを確認できなければ（Ｓ７においてＮＯ）、ＩＣコイン搬送制御部３０３ａが後述するＩＣコインワーニング返却の許可処理を行う（Ｓ１２）。ここで、ワーニング返却とは、ＩＣコイン３に有効な情報が入っていないと判断された場合に、ＩＣコイン搬送制御部３０３ａがユーザに玉貸しすること無く、ＩＣコイン３を返却する動作を示している。
【０１０９】
遊技玉供給制御装置７１は、ＩＣコイン３に有効な情報が入っていることを確認できれば（Ｓ７においてＹＥＳ）、さらに、Ｒ／Ｗ制御部４０５がＩＣコイン３から該ＩＣコイン３を特定する情報を読み込むとともに、遊技玉供給制御装置７１が、データ管理端末７に記憶されている該ＩＣコイン３に関する情報を通信線８を介して読み出す（Ｓ８）。そして、遊技玉供給制御装置７１は、投入されているＩＣコイン３に記録されている情報と、データ管理端末７に記憶されている該ＩＣコイン３に関する情報とが一致しているか否かを判定する（Ｓ９）。
【０１１０】
Ｓ９においてＮＯ、すなわち、投入されているＩＣコイン３に記録されている情報と、データ管理端末７に記憶されている該ＩＣコイン３に関する情報とが一致していないと判定された場合には、Ｓ１２におけるＩＣコインワーニング返却の許可処理を行う。一方、Ｓ９においてＹＥＳ、すなわち、投入されているＩＣコイン３に記録されている情報と、データ管理端末７に記憶されている該ＩＣコイン３に関する情報とが一致していると判定された場合には、パチンコ台２へ玉貸しあるいは返却処理を行うよう、玉貸し・返却の許可を行う（Ｓ１０）。
【０１１１】
一方、ユーザにより台間機１にＩＣカード４が投入された場合、待機状態において（Ｓ０）、ＩＣカード投入センサ４１１がＯＮする（Ｓ２１）。図１０は、ＩＣカード処理部４０において、ＩＣカード４の投入状態の推移を示している。同図において、Ｐ１で示される位置は、ＩＣカード４の投入が開始された時点でのＩＣカード４の位置を示している。この時点で、上記のようにＩＣカード投入センサ４１１がＯＮすることになる。
【０１１２】
この検知結果に応答して、ＩＣコイン搬送制御部３０３ａにより、ＩＣコインシャッターソレノイド３０２に対する通電が解除され、ＩＣコインシャッター３１１がＩＣコイン投入口１３を閉じる。また、同じくこの検知結果に応答して、ＩＣカード搬送制御部３０３ｂにより、ＩＣカードシャッターソレノイド４１２に対する通電が解除され、ＩＣカードシャッター４１５がＩＣカード投入口１４を閉じる（Ｓ２２）。
【０１１３】
ここで、ＩＣカード４はゴムローラ４０９まで挿入され（図１０におけるＰ２の位置）、ＩＣカード位置センサ４０４がＯＮすると（Ｓ２３）、この検知結果に応じて、ＩＣカード搬送制御部３０３ｂは、ＩＣカード搬送用モータ４０６を駆動させる。ＩＣカード搬送用モータ４０６の駆動に伴って、ウォームギア４０７、中継ギア４０８に駆動力が伝達され、ゴムローラ４０９が回転する。これにより、ＩＣカード４は、ゴムローラ４０９により、搬送通路４１０のさらに奥に搬送される（Ｓ２４）。ＩＣカード４が搬送されている間に、ＩＣカード投入センサ４１１とＩＣカード位置センサ４０４との検知結果が、ＩＣカード搬送制御部３０３ｂに伝えられる（Ｓ２５）。
【０１１４】
ここで、ＩＣカード投入センサ４１１とＩＣカード位置センサ４０４との両方がＯＦＦしている状態、あるいは、ＩＣカード投入センサ４１１とＩＣカード位置センサ４０４との両方がＯＮしている状態である場合（Ｓ２５においてＮＯ）、ＩＣカード搬送制御部３０３ｂにより、カードワーニング返却の許可が行われる（Ｓ３２）。
【０１１５】
一方、ＩＣカード投入センサ４１１はＯＦＦしており、ＩＣカード位置センサ４０４はＯＮしている状態である場合には（Ｓ２５においてＹＥＳ）、ＩＣカード搬送制御部３０３ｂにより、ＩＣカード４はＩＣカード通信位置まで搬送された（図１０におけるＰ３の位置）と判断され、ＩＣカード搬送用モータ４０６の駆動が停止される（Ｓ２６）。そして、アンテナ４１４がＩＣカード４と無線通信を行うことにより、ＩＣカード４に記録されている情報の読み込みを行う（Ｓ２７）。
【０１１６】
その後、Ｒ／Ｗ制御部４０５によって読み込まれた情報に基づいて、ＩＣカード４に利用可能な有価価値情報が残っていることを示す情報が記録されているか（有効な情報が入っているか）どうかを、遊技玉供給制御装置７１が判断する（Ｓ２８）。遊技玉供給制御装置７１がＩＣカード４に有効な有価価値情報が入っていることを確認できなければ（Ｓ２８においてＮＯ）、ＩＣカード搬送制御部３０３ｂが後述するＩＣカードワーニング返却の許可処理を行う（Ｓ３２）。ここで、ワーニング返却とは、ＩＣカード４に有効な情報が入っていないと判断された場合に、ＩＣカード搬送制御部３０３ｂがユーザに玉貸しすること無く、ＩＣカード４を返却する動作を示している。
【０１１７】
遊技玉供給制御装置７１は、ＩＣカード４に有効な情報が入っていることを確認できれば（Ｓ２８においてＹＥＳ）、さらに、Ｒ／Ｗ制御部４０５がＩＣカード４から該ＩＣカード４を特定する情報を読み込むとともに、遊技玉供給制御装置７１が、データ管理端末７に記憶されている該ＩＣカード４に関する情報を通信線８を介して読み出す（Ｓ２９）。そして、遊技玉供給制御装置７１は、投入されているＩＣカード４に記録されている情報と、データ管理端末７に記憶されている該ＩＣカード４に関する情報とが一致しているか否かを判定する（Ｓ３０）。
【０１１８】
Ｓ３０においてＮＯ、すなわち、投入されているＩＣカード４に記録されている情報と、データ管理端末７に記憶されている該ＩＣカード４に関する情報とが一致していないと判定された場合には、Ｓ３２におけるＩＣカードワーニング返却の許可処理を行う。一方、Ｓ３０においてＹＥＳ、すなわち、投入されているＩＣカード４に記録されている情報と、データ管理端末７に記憶されている該ＩＣカード４に関する情報とが一致していると判定された場合には、パチンコ台２へ玉貸しあるいは返却処理を行うよう、玉貸し・返却の許可を行う（Ｓ３１）。
【０１１９】
（玉貸し処理）
次に、ＩＣコイン３またはＩＣカード４を用いて玉貸し処理が行われる手順について、図１３に示すフローチャートを用いて説明する。図１２に示すフローチャートのＳ１０またはＳ３１のステップにおいて、ＩＣコイン３またはＩＣカード４について、玉貸し・返却の許可がされた状態となった場合（Ｓ１０・Ｓ３１）、遊技玉供給制御装置７１はユーザによって玉貸し入力ボタン１２ａから玉貸し指示の入力が行われたか否かの判断を行う（Ｓ４１）。遊技玉供給制御装置７１は、玉貸し指示入力が行われたことを確認できるまで、玉貸し・返却の許可のされた状態を続行する。
【０１２０】
遊技玉供給制御装置７１は、ユーザにより玉貸し指示入力が行われた場合（Ｓ４１においてＹＥＳ）、ユーザから玉貸し要求の指示が行われたことを確認し（Ｓ４２）、パチンコ台２に対して玉貸し動作を行う（Ｓ４２）。これに応じて、パチンコ台２において玉貸し動作が行われ（Ｓ４３）、ユーザはパチンコ台２にて遊技が可能な状態となる。
【０１２１】
玉貸しの動作中は、遊技玉供給制御装置７１によりパチンコ台２あるいは台間機１において、パチンコ玉の詰まり、玉数の異常などの障害が発生しているか否かの確認が行われる（Ｓ４４）。
【０１２２】
遊技玉供給制御装置７１により障害が発生していることが確認された場合（Ｓ４４においてＹＥＳ）、Ｒ／Ｗ制御部４０５は、その時点までに玉貸しが行われた玉数に基づいて、情報をＩＣコイン３またはＩＣカード４に書き込む（Ｓ５５）。ここで、情報の書き込みとは、ＩＣコイン３あるいはＩＣカード４に既に情報として記録されている有価価値情報の値から、ユーザに対して玉貸しが行われた量を差し引き、差し引いた後の値を情報としてＩＣコイン３あるいはＩＣカード４に記録させることである。
【０１２３】
さらに、Ｒ／Ｗ制御部４０５はＩＣコイン３またはＩＣカード４から情報を読み込み（Ｓ５６）、これに基づいて遊技玉供給制御装置７１が、Ｓ５５において行われた情報の書き込みが適切に行われているか否かの確認を行う（Ｓ５７）。ここで、ＩＣコイン３またはＩＣカード４に適切に情報の書き込みが行われていないと判断された場合には（Ｓ５７においてＮＯ）、遊技玉供給制御装置７１がエラー処理を行う（Ｓ５２）。
【０１２４】
ＩＣコイン３またはＩＣカード４に対して適切に情報の書き込みがなされている場合には（Ｓ５７においてＹＥＳ）、遊技玉供給制御装置７１は、データ管理端末７との通信が確立しているか否かの確認を行う（Ｓ５８）。データ管理端末７との通信が確立していなければ（Ｓ５８においてＮＯ）、遊技玉供給制御装置７１は情報を記憶装置に保持する（Ｓ５３）。ここで記憶装置に記憶された情報は、データ管理端末７との通信が確立された時点でデータ管理端末７に対して送信される。
【０１２５】
データ管理端末７との通信が確立していれば（Ｓ５８においてＹＥＳ）、ＩＣコイン３またはＩＣカード４の情報は、遊技玉供給制御装置７１によりデータ管理端末７に送信され、データ管理端末７に保存される（Ｓ５９）。その後、遊技玉供給制御装置７１がエラー処理を行う（Ｓ６０）。
【０１２６】
一方、遊技玉供給制御装置７１により障害が発生していることが確認されなければ（Ｓ４４においてＮＯ）、ユーザから指示された玉貸し量に基づいて、情報をＩＣコイン３またはＩＣカード４に書き込む（Ｓ４５）。
【０１２７】
さらに、Ｒ／Ｗ制御部４０５はＩＣコイン３またはＩＣカード４から情報を読み込み（Ｓ４６）、遊技玉供給制御装置７１が、Ｓ４５において行われた情報の書き込みが適切に行われているか否かの確認を行う（Ｓ４７）。ここで、ＩＣコイン３またはＩＣカード４に適切に情報の書き込みが行われていないと判断された場合には（Ｓ４７においてＮＯ）、遊技玉供給制御装置７１がエラー処理を行う（Ｓ５２）。
【０１２８】
ＩＣコイン３またはＩＣカード４に対して適切に情報の書き込みがなされている場合には（Ｓ４７においてＹＥＳ）、遊技玉供給制御装置７１は、データ管理端末７との通信が確立しているか否かの確認を行う（Ｓ４８）。データ管理端末７との通信が確立していなければ（Ｓ４８においてＮＯ）、遊技玉供給制御装置７１は情報を記憶装置に保持する（Ｓ５３）。ここで記憶装置に記憶された情報は、データ管理端末７との通信が確立された時点でデータ管理端末７に対して送信される。
【０１２９】
データ管理端末７との通信が確立していれば（Ｓ４８においてＹＥＳ）、ＩＣコイン３またはＩＣカード４の情報は、遊技玉供給制御装置７１によりデータ管理端末７に送信され、データ管理端末７に保存される（Ｓ４９）。
【０１３０】
その後、遊技玉供給制御装置７１は、ＩＣコイン３またはＩＣカード４に利用可能な有価価値情報が記録されているか否かを確認する（Ｓ５０）。利用可能な有価価値情報が記録されていないと判断された場合（Ｓ５０においてＮＯ）には、ＩＣコイン３の貯留の許可またはＩＣカード４の返却の許可がＩＣコイン搬送制御部３０３ａまたはＩＣカード搬送制御部３０３ｂによって行われる。一方、利用可能な有価価値情報が記録されていると判断された場合（Ｓ５０においてＹＥＳ）には、再び玉貸し・返却の許可のされた状態に移行する。
【０１３１】
（ＩＣコイン返却処理）
次に、ＩＣコイン３の返却処理の手順について、図１４に示すフローチャートを用いて説明する。
【０１３２】
図１２に示すフローチャートのＳ１０またはＳ３１のステップにおいて、ＩＣコイン３またはＩＣカード４について、玉貸し・返却の許可がされた状態、あるいは、図１２に示すフローチャートのＳ１２のステップにおいて、ＩＣコインワーニング返却の許可がされた状態において、ユーザによって返却ボタン１６が押されると（Ｓ７１）、遊技玉供給制御装置７１は、ユーザによりＩＣコイン３の返却の要求があったと認識し（Ｓ７２）、ＩＣコイン３の返却処理を行う（Ｓ７３）。
【０１３３】
遊技玉供給制御装置７１は、ＩＣコイン搬送制御部３０３ａによって、ＩＣコイン３を投入するときとは逆の方向にＩＣコイン搬送用モータ３０１を駆動させ（逆転動作させ）（Ｓ７４）、この駆動に伴ってロータ３１５が回転し、ロータ３１５に載置されているＩＣコイン３は、コイン通信位置から返却通路３１４へ向かって移動する。これにより、ＩＣコインＨＰセンサ８２は、ＯＮの状態からＯＦＦの状態へ移行する。また、ＩＣコイン３が返却位置まで移動すると、ＩＣコイン位置センサ８１が返却位置で応答する。
【０１３４】
ＩＣコイン３のコイン通信位置から返却位置への移動の際、ＩＣコイン搬送用モータ３０１の駆動が開始されてから、ＩＣコインＨＰセンサ８２がＯＦＦするまでの時間を、遊技玉供給制御装置７１は測定し、この時間が一定時間以内であるか否かを判定する（Ｓ７５）。このＩＣコインＨＰセンサ８２がＯＦＦするまでの時間が、所定の時間を超過した場合（Ｓ７５においてＮＯ）は、遊技玉供給制御装置７１はエラー処理を行う（Ｓ８３）。
【０１３５】
ＩＣコインＨＰセンサ８２のＯＦＦするまでの時間が、予め設定された時間以内であった場合（Ｓ７５においてＹＥＳ）、さらに、遊技玉供給制御装置７１は、ＩＣコイン搬送用モータ３０１の駆動が開始されてから、ＩＣコイン位置センサ８１が返却位置で応答するまでの時間を測定し、この時間が一定時間以内であるか否かを判定する（Ｓ７６）。ＩＣコイン位置センサ８１が返却位置で応答するまでの時間が、予め設定された時間を超過した場合（Ｓ７６においてＮＯ）は、遊技玉供給制御装置７１はエラー処理を行う（Ｓ８４）。
【０１３６】
ＩＣコイン位置センサ８１が返却位置で応答するまでの時間が、予め設定された時間以内であった場合（Ｓ７６においてＹＥＳ）、ＩＣコイン搬送制御部３０３ａはＩＣコイン搬送用モータ３０１の駆動を停止させる（Ｓ７７）。ここで、ＩＣコイン搬送用モータ３０１の停止前に、ＩＣコイン３は自重によってロータ３１５の載置部３１５ａから返却通路３１４に落下し、返却通路３１４を通ってＩＣコイン返却口１５からユーザに対して返却される。さらに、ＩＣコイン３の返却後、遊技玉供給制御装置７１は、ＩＣコイン搬送制御部３０３ａによって、ＩＣコイン３を投入する時と同じ方向にＩＣコイン搬送用モータ３０１を回転させ（正転動作させ）（Ｓ７８）、これに伴ってロータ３１５の載置部３１５ａは返却位置から初期位置（ＨＰ）へ戻るように回転する。
【０１３７】
ロータ３１５の返却位置から初期位置への回転の際、ＩＣコイン搬送用モータ３０１の正転動作の開始から、ＩＣコインＨＰセンサ８２がＯＮするまでの時間を、遊技玉供給制御装置７１は測定し、この時間が一定時間以内であるか否かを判定する（Ｓ７９）。このＩＣコインＨＰセンサ８２がＯＮするまでの時間が、予め設定された時間を超過した場合（Ｓ７９においてＮＯ）は、遊技玉供給制御装置７１はエラー処理を行う（Ｓ８５）。
【０１３８】
ＩＣコインＨＰセンサ８２のＯＮするまでの時間が、予め設定された時間以内であった場合（Ｓ７９においてＹＥＳ）は、ＩＣコイン搬送制御部３０３ａはＩＣコイン搬送用モータ３０１を停止させる（Ｓ８０）。さらに、ＩＣコイン搬送制御部３０３ａが、ＩＣコインシャッター３１１を開けるように制御を行うとともに、ＩＣカード搬送制御部３０３ｂが、ＩＣカードシャッター４１５を開けるように制御を行う。これにより、台間機１は待機状態に戻る（Ｓ０）。
【０１３９】
（ＩＣカード返却処理）
次に、ＩＣカード４の返却処理の手順について、図１５に示すフローチャートを用いて説明する。
【０１４０】
図１２に示すフローチャートのＳ１０またはＳ３１のステップにおいて、ＩＣコイン３またはＩＣカード４について、玉貸し・返却の許可がされた状態において、ユーザによって返却ボタン１６が押されると（Ｓ９１）、遊技玉供給制御装置７１は、ユーザによりＩＣカード４の返却の要求があったと認識し（Ｓ９２）、ＩＣカード４の返却処理を行う（Ｓ９３）。
【０１４１】
また、図１２に示すフローチャートのＳ３２のステップにおいて、ＩＣカードワーニング返却の許可がされた状態、あるいは、図１３に示すフローチャートのＳ５４のステップにおいて、ＩＣカード返却の許可がされた状態においても、遊技玉供給制御装置７１は、ＩＣカード４の返却の要求があったと認識し（Ｓ９２）、ＩＣカード４の返却処理を行う（Ｓ９３）。
【０１４２】
ＩＣカード４の返却処理を行う場合、遊技玉供給制御装置７１は、まず、ＩＣカード搬送制御部３０３ｂによって、ＩＣカードシャッター４１５を開けるように制御を行う（Ｓ９４）。さらに、ＩＣカード搬送制御部３０３ｂは、ＩＣカード４を投入するときとは逆の方向にＩＣカード搬送用モータ４０６を駆動させ（逆転動作させ）（Ｓ９５）、この駆動に伴ってゴムローラ４０９が回転し、ＩＣカード４はＩＣカード投入口１４の方向に移動する。
【０１４３】
このＩＣカード４の移動に伴って、ＩＣカード位置センサ４０４はＯＦＦすると同時に、ＩＣカード投入センサ４１１はＯＮする。この際、遊技玉供給制御装置７１は、ＩＣカード搬送用モータ４０６の駆動開始から、ＩＣカード位置センサ４０４がＯＦＦするまでの時間を測定し、この時間が一定時間以内であるか否かを判定する（Ｓ９６）。このＩＣカード位置センサ４０４がＯＦＦするまでの時間が、予め設定された時間の範囲外であった場合（Ｓ９６においてＮＯ）、遊技玉供給制御装置７１は、エラー処理を行う（Ｓ１０１）。例えば、この時間が短い場合は、カ−ドは小さく不正なカ−ドであることや、この時間が長い場合は、経路でのカードのひっかかりなどの、障害の発生していることが予想される。
【０１４４】
ＩＣカード位置センサ４０４がＯＦＦするまでの時間が、予め設定された時間以内であった場合（Ｓ９６においてＹＥＳ）、ＩＣカード位置センサ４０４がＯＦＦした時点で、遊技玉供給制御装置７１は、ＩＣカード搬送制御部３０３ｂによって、ＩＣカード搬送用モータ４０６を停止させる。（Ｓ９７）。
【０１４５】
この状態において、ユーザはＩＣカード投入口１４からＩＣカード４を受け取ると、ＩＣカード投入センサ４１１はＯＦＦする。この検知結果に応じて、遊技玉供給制御装置７１は、ＩＣコイン搬送制御部３０３ａに対して、新たにＩＣコイン３を受け付けられるように、ＩＣコインシャッター３１１を開けるように制御を行う（Ｓ９９）。なお、ＩＣカード投入口１４はそのまま開かれている状態が維持される。これにより、待機状態に戻る（Ｓ０）。
【０１４６】
（ＩＣコイン貯留処理）
次に、図１６に示すフローチャートを用いて、ＩＣコイン３の貯留処理の手順について説明する。貯留処理とは、ＩＣコイン処理部３０において、利用可能な有価の情報が記録されていないＩＣコイン３を貯留通路３１２に貯留することである。
【０１４７】
外部からＩＣコイン３を貯留するよう要求された場合（Ｓ１１０）、または、図１３に示すフローチャートのＳ５４のステップにおいて、ＩＣコイン貯留の許可がされた状態において、遊技玉供給制御装置７１は、貯留の要求を認識する（Ｓ１１１）。なお、外部からのＩＣコイン３の貯留要求とは、例えば遊技機システムの管理者によって台間機１にＩＣコイン３を貯留するように指示入力が行われる場合などに対応するものである。
【０１４８】
次に、遊技玉供給制御装置７１は、ＩＣコイン搬送制御部３０３ａによって、ＩＣコイン搬送用モータ３０１を正転動作させ（Ｓ１１３）、この動作に伴って、ロータ３１５は初期位置から貯留位置に向けて回転する。ここで、貯留位置とは、ロータ３１５の載置部３１５ａに載置されているＩＣコイン３が貯留通路３１２の領域に位置する位置である。
【０１４９】
そして、ロータ３１５が貯留位置に到達する前に、ＩＣコイン搬送制御部３０３ａは、貯留ピンソレノイド３０９を駆動し、貯留ピン３１０を突出させる制御を行う（Ｓ１１４）。ロータ３１５の載置部３１５ａに載置されたＩＣコイン３は、ロータ３１５の正転動作により貯留通路３１２の領域まで移動すると、貯留ピン３１０に当接し、貯留通路３１２の通路方向へ持ち上げられる。この状態で、貯留センサ３０７がＯＮとなる。
【０１５０】
ＩＣコイン３のコイン通信位置から貯留位置への移動の際、ＩＣコイン搬送用モータ３０１の駆動が開始されてから、貯留センサ３０７がＯＮするまでの時間を、遊技玉供給制御装置７１は測定し、この時間が一定時間以内であるか否かを判定する（Ｓ１１５）。この貯留センサ３０７がＯＦＦするまでの時間が、所定の時間を超過した場合（Ｓ１１５においてＮＯ）は、遊技玉供給制御装置７１はエラー処理を行う（Ｓ１２３）。
【０１５１】
貯留センサ３０７がＯＦＦするまでの時間が、予め設定された時間以内であった場合（Ｓ７５においてＹＥＳ）、さらに、遊技玉供給制御装置７１は、ＩＣコイン搬送制御部３０３ａによって、ＩＣコイン搬送用モータ３０１を正転動作させ、ＩＣコイン搬送用モータ３０１の駆動が開始されてから、ＩＣコイン位置センサ８１が返却位置で応答するまでの時間を測定し、この時間が一定時間以内であるか否かを判定する（Ｓ１１６）。ＩＣコイン位置センサ８１が返却位置で応答するまでの時間が、予め設定された時間を超過した場合（Ｓ１１６においてＮＯ）は、遊技玉供給制御装置７１はエラー処理を行う（Ｓ１２４）。
【０１５２】
ＩＣコイン位置センサ８１が返却位置で応答するまでの時間が、予め設定された時間以内であった場合（Ｓ１１６においてＹＥＳ）、ＩＣコイン搬送制御部３０３ａは貯留ピンソレノイド３０９をＯＦＦし、貯留ピン３１０を没入させる制御を行う（Ｓ１１７）。
【０１５３】
さらに、遊技玉供給制御装置７１は、ＩＣコイン搬送制御部３０３ａによって、ＩＣコイン搬送用モータ３０１を正転動作させ、ＩＣコイン搬送用モータ３０１の駆動が開始されてから、ＩＣコインＨＰセンサ８２がＯＮするまでの時間を測定し、この時間が一定時間以内であるか否かを判定する（Ｓ１１８）。このＩＣコインＨＰセンサ８２がＯＮするまでの時間が、予め設定された時間を超過した場合（Ｓ１１８においてＮＯ）は、遊技玉供給制御装置７１はエラー処理を行う（Ｓ１２５）。
【０１５４】
ＩＣコインＨＰセンサ８２のＯＮするまでの時間が、予め設定された時間以内であった場合（Ｓ１１８においてＹＥＳ）は、遊技玉供給制御装置７１は、ＩＣコイン搬送制御部３０３ａによってＩＣコイン搬送用モータ３０１を停止させる（Ｓ１１９）。
【０１５５】
次に、遊技玉供給制御装置７１はＩＣコイン位置センサ８１がＯＦＦとなっているか否かを判定する（Ｓ１２０）。ＩＣコイン位置センサ８１がＯＮとなっている場合（Ｓ１２０においてＮＯ）、初期位置にＩＣコイン３が存在することになるので、何らかのエラーが生じたことになり、遊技玉供給制御装置７１はエラー処理を行う（Ｓ１２６）。
【０１５６】
一方、ＩＣコイン位置センサ８１がＯＦＦとなっている場合（Ｓ１２０においてＹＥＳ）、正常に貯留処理が行われたことが確認され、ＩＣコイン搬送制御部３０３ａが、ＩＣコインシャッター３１１を開けるように制御を行うとともに、ＩＣカード搬送制御部３０３ｂが、ＩＣカードシャッター４１５を開けるように制御を行う。これにより、台間機１は待機状態に戻る（Ｓ０）。この状態におけるＩＣコイン処理部３０の接触面における様子を図９に示す。
【０１５７】
以上のような構成により、本発明による台間機１は、ＩＣコイン３およびＩＣカード４の各形状に適した通路を設けることができ、台間機１内で、ＩＣコイン３またはカードがひっかかったり滞留したりすることを抑制することができる。よって、台間機１の故障を防止できる。
【０１５８】
また、ＩＣコイン３またはＩＣカード４のひっかかりや滞留による、ＩＣコイン３またはＩＣカード４の配置位置が通信位置からずれることを抑制できる。よって、ＩＣコイン３またはＩＣカード４に対して、誤った情報が記録されたり、誤って情報が消去されたりすることを防止できる。
【０１５９】
また、台間機１を開くことにより、ＩＣコイン３およびＩＣカード４の経路を作業者に見易く触れ易い状態にすることが可能である。よって、作業者は、ＩＣコイン３およびＩＣカード４のひっかかりや滞留などに対する修理、および、日常のメンテナンスを容易に行うことができ、作業時間の短縮および作業の安全性の向上を図ることができる。
【０１６０】
また、同一のアンテナが、ＩＣコイン３とＩＣカード４とで異なる通信の形式を用いて無線通信を行うため、誤交信を防ぐことが可能である。また、台間機１はアンテナを複数設けることによる大型化を生じることが無い。
【０１６１】
また、台間機１において、ＩＣコイン３とＩＣカード４とは、アンテナを挟むようなそれぞれの位置でアンテナと無線通信を行う。すなわち、ＩＣコイン３とＩＣカード４とは、それぞれアンテナとの距離が最小である位置で、無線通信を行うことができる。そのため、無線通信を行う距離が遠くなることによる送受信効率の低下を抑制でき、結果として、台間機１は正確な情報処理を行うことができる。
【０１６２】
また別に、台間機１は、さらに販売する機能（供給手段）を備える構成にしてもよい。この場合、記録媒体処理装置２０は、情報処理の他に、ＩＣコイン３を販売する機能を兼ね備える。
【０１６３】
ユーザにより台間機１へ紙幣や硬貨が投入されると、貯留場所に予め貯留されていたＩＣコイン３は貯留通路３１２および返却通路３１４を通って、貯留場所から返却口へ移動し、ユーザに供給される。
【０１６４】
これにより、販売手段を台間機１とは別に備える必要が無い。よって、ユーザに対して、一箇所で記録媒体の情報処理および販売する動作を行うことを可能にし、記録媒体の操作の時間を短縮することができる。
【０１６５】
また、本発明の一実施の形態においては、台間機１は、ＩＣコイン３とカードとの２種類の記録媒体の情報処理を行うものとしたが、これに限定されるものではなく、２種類以上の記録媒体の情報処理を行う構成としてもよい。
【産業上の利用可能性】
【０１６６】
本発明は、記録媒体に情報を記録する遊技機などに用いられる記録媒体処理装置に関し、パチンコ台やスロットなどの遊技機に対して、玉貸しの制御などを行う台間機に適用することができる。
【図面の簡単な説明】
【０１６７】
【図１】本発明の一実施形態における台間機の備える記録媒体処理装置をＩＣカード処理部側から見た際の斜視図である。
【図２】記録媒体処理装置をＩＣコイン処理部側から見た際の斜視図である。
【図３】ＩＣコイン処理部における、ＩＣカード処理部との接触面に配置されている構成を示す斜視図である。
【図４】ＩＣカード処理部における、ＩＣコイン処理部との接触面とは反対側の面に配置されている構成を示す斜視図である
【図５】図４において、搬送通路における右側面を取り除いた状態を示す斜視図である。
【図６】ＩＣカード処理部における、ＩＣコイン処理部との接触面を示す斜視図である。
【図７】ＩＣコインが投入された状態における、ＩＣコイン処理部の接触面の状態を示す平面図である。
【図８】ＩＣコインが通信位置に位置した状態における、ＩＣコイン処理部の接触面の状態を示す平面図である。
【図９】ＩＣコインが貯留された状態における、ＩＣコイン処理部の接触面の状態を示す平面図である。
【図１０】ＩＣカード処理部において、ＩＣカードの投入状態の推移を示す平面図である。
【図１１】本発明の一実施形態における台間機およびパチンコ台の構成を示す正面概略図である。
【図１２】ＩＣコインまたはＩＣカードが投入された際の処理の手順を示すフローチャートである。
【図１３】ＩＣコインまたはＩＣカードを用いて玉貸し処理が行われる手順を示すフローチャートである。
【図１４】ＩＣコインの返却処理の手順を示すフローチャートである。
【図１５】ＩＣカードの返却処理の手順を示すフローチャートである。
【図１６】ＩＣコインの貯留処理の手順を示すフローチャートである。
【図１７】複数の遊技機システムが設置されている遊技場等の装置配置例を示す図である。
【図１８】同図（ａ）は、ＩＣカード処理部におけるカード通路、ＩＣコイン処理部におけるコイン通路、およびアンテナの位置関係を示す図であり、同図（ｂ）は、同図（ａ）に示した構成において、ＩＣコイン駆動機構およびＩＣカード駆動機構も示した図である。
【図１９】台間機の概略構成を示すブロック図である。
【図２０】同図（ａ）は、従来構成において、コイン通路、カード通路、および、アンテナとの配置関係の概略を示す図であり、同図（ｂ）は、コイン通路とカード通路とで通路の一部を共有する例を示す図であり、同図（ｃ）は、同図（ａ）に示した構成において、コイン通路やカード通路の搬送処理を行う駆動機構も示した図である。
【符号の説明】
【０１６８】
１  台間機
２  パチンコ台（遊技機）
３  ＩＣコイン
４  ＩＣカード
７  データ管理端末
８  通信線
１２ａ  玉貸し入力ボタン
１２ｂ  玉貸し表示部
１３  ＩＣコイン投入口
１４  ＩＣカード投入口
１５  ＩＣコイン返却口
１６  返却ボタン
１７  ＩＣコイン回収口
２０  記録媒体処理装置
３０  ＩＣコイン処理部
４０  ＩＣカード処理部
５１  カード通路
５２  コイン通路
５５  ＩＣカード駆動機構（搬送駆動機構）
５６  ＩＣコイン駆動機構（搬送駆動機構）
３０１  ＩＣコイン搬送用モータ
３０２  ＩＣコインシャッターソレノイド
３０３  セレクタ制御部
３０３ａ  ＩＣコイン搬送制御部
３０３ｂ  ＩＣカード搬送制御部
３０７  貯留センサ
３０９  貯留ピンソレノイド
３１０  貯留ピン
３１１  ＩＣコインシャッター
３１２  貯留通路
３１３  回収通路
３１４  返却通路
３１５  ロータ
３１５ａ  載置部
３１６  投入通路
４０４  ＩＣカード位置センサ
４０５  Ｒ／Ｗ制御部
４０６  ＩＣカード搬送用モータ
４０９  ゴムローラ
４１０  搬送通路
４１１  ＩＣカード投入センサ
４１２  ＩＣカードシャッターソレノイド
４１４  アンテナ
４１５  ＩＣカードシャッター
４１６  位置センサ
【図１】
2005323872.tif 000003
【図２】
2005323872.tif 000004
【図３】
2005323872.tif 000005
【図４】
2005323872.tif 000006
【図５】
2005323872.tif 000007
【図６】
2005323872.tif 000008
【図７】
2005323872.tif 000009
【図８】
2005323872.tif 000010
【図９】
2005323872.tif 000011
【図１０】
2005323872.tif 000012
【図１１】
2005323872.tif 000013
【図１２】
2005323872.tif 000014
【図１３】
2005323872.tif 000015
【図１４】
2005323872.tif 000016
【図１５】
2005323872.tif 000017
【図１６】
2005323872.tif 000018
【図１７】
2005323872.tif 000019
【図１８】
2005323872.tif 000020
【図１９】
2005323872.tif 000021
【図２０】
2005323872.tif 000022